【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
ａ）  胸部プレートと、    ｂ）  患者の顎を該患者の胸部に対して相対的に固定された位置で支持する顎支持部と、    ｃ）  頂面を有し、該胸部プレートに調節可能に取り付けられたロッドと、    ｄ）  該頂面と該顎支持部とに、該顎支持部の位置を該胸部プレートに対して調節可能に接続された調節可能な連結部と、  を有し、かつ、    該調節可能な連結部は、デュアル・ボール・ジョイントを含み、該デュアル・ボール・ジョイントは、1対の曲面板と1つの固定用ネジを持つ固定機構を有すること  を特徴とする固定具。
【請求項２】
患者の胸部に前記固定具を固定するために少なくとも２つのストラップを具備すること  を特徴とする請求項１に記載の固定具。
【請求項３】
前記ストラップは、互いに交わるように、患者の後方に配置され、長さが決められること  を特徴とする請求項２に記載の固定具。
【請求項４】
前記デュアル・ボール・ジョイントの前記固定機構において、前記固定用ネジが前記1対の曲面板を押圧すること  を特徴とする請求項１に記載の固定具。
【請求項５】
前記胸部プレートに接続された左肩固定具と右肩固定具と、をさらに有すること  を特徴とする請求項１に記載の固定具。
【請求項６】
前記ロッドの切断面が円形または方形であること  を特徴とする請求項１に記載の固定具。
【請求項７】
前記顎支持部が腎臓形をしていること  を特徴とする請求項１に記載の固定具。
【請求項８】
前記ロッドを前記胸部プレートに摺動可能に取り付け、かつ、前記顎支持部の位置を患者の胸部に対して調節可能なコネクタをさらに有すること  を特徴とする請求項１に記載の固定具。
【手続補正２】
【補正対象書類名】明細書
【補正対象項目名】全文
【補正方法】変更
【補正の内容】
【発明の詳細な説明】
【発明の名称】固定具
【発明の概要】
【０００１】  固定具は、胸部プレートと、患者の顎を該患者の胸部に対して相対的に固定した位置で支持する顎支持部と、頂面を有し該胸部プレートに調節可能に取り付けられたロッドと、該頂面と該顎支持部とに接続された調節可能な連結部とを有している。該固定具は、患者の顎が該顎支持部に置かれたときに、該患者の顎を該患者の脊柱、又は該患者の胸部、又は両方に対して相対的に固定するために使用する。
【図面の簡単な説明】
【０００２】
【図１】固定具の正面図である。
【図２】固定具の側面図である。
【図３】固定具の上面図である。
【図４】固定具の等角図である。
【図５】固定具の分解図である。
【図６】顎支持アセンブリーの分解図である。
【図７】顎支持アセンブリーの正面図である。
【図８】顎支持アセンブリーの断面図である。
【図９】固定具の正面図である。
【図１０】固定具の断面図である。
【図１１】固定具の詳細図である。
【図１２】固定具の正面図である。
【図１３】固定具の詳細図である。
【図１４】患者装着時の固定具の正面図である。
【図１５】患者装着時の固定具の側面図である。
【発明を実施するための形態】
【０００３】  固定具１は、胸部プレート２と、患者の顎を該患者の胸部に対して相対的に固定された位置で支持する顎支持部と、頂面８を有し、該胸部プレート２に調節可能に取り付けられたロッド７と、該頂面８と該顎支持部とに接続された調節可能な連結部１５とを有している。該固定具１は、該患者の顎が顎支持部に置かれたときに、該患者の顎を該患者の胸部に対して相対的に固定するために使用する。
【０００４】  胸部プレート２は、患者の胸部に快適にフィットするように形成された基礎部であり、該患者の顎を固定するために使用したときに、顎支持部を支持するのに十分な強度を有する任意のプラスチック、金属、又はその他の材料で形成される。該胸部プレート２には、また、左肩固定具１０と右肩固定具１１が具備されている。各肩固定具は、胸部プレート２の底部に取り付けられた１つ又は複数の調節可能なストラップ１２を具備している。該肩固定具とストラップで、胸部プレート２を患者の胸部に固定する。追加の固定具とストラップが、本発明の請求の範囲内で想到できることを理解されたい。
【０００５】  顎支持部は、金属又はプラスチックのフレームであって、調節可能な連結部１５とパッド１４に取り付けられたポスト１３を有する。もう一つ別の実施形態では、調節可能な連結部１５は、顎支持部に取り付けられたポスト１３を有する。両方の実施形態で、ポスト１３は、所望の接続を達成するために、ネジ穴に合うようにねじ切りしてもよい。代替え的には、該ポストは、顎支持部又は調節可能な連結部１５に、溶接によって、又は適切な接着剤によって取り付けることができる。使用時には、パッド１４は、該患者の顎と接触させて配置する。
【０００６】  ロッド７は、調節可能な連結部１５に取り付けられた頂面８を有し、胸部プレート２に摺動可能に取り付けられており、かつ、回転可能に取り付けられてもよく、顎支持部の位置を患者の胸部に対して相対的に調節することが可能になる。ロッド７は、任意の所望の断面形状でよいが、円形の断面では、胸部プレート２への回転可能な取り付けが容易になる。
【０００７】  調節可能な連結部１５は、顎支持部をロッド７の頂面８に接続する。該調節可能な連結部１５によって、胸部プレート２に対する顎支持部の相対的な調節と、顎支持部をロッド７に対する相対的な選択位置にロックすることが可能になる。図４に示すデュアル・ボール・ジョイント１５は、そのような調節可能な連結部１５の１つである。  デュアル・ボール・ジョイント１５は、２つの局面版と１つの固定用ネジとを含む。デュアル・ボール・ジョイント１５は、該固定用ネジによって位置固定されるまでは全く自由に調節可能であり、これによって患者の顎の下の顎当てのサイズを調整可能になるので、異なる患者の顎の多様な骨格や左右の釣り合いに対する調整が可能になる。
【０００８】  胸部プレート２は、使用時、左肩固定具１０、右肩固定具１１、及び調節可能なストラップ１２によって患者の胸部に固定され、かつ、ロッド７は、該ロッド７を胸部プレート２に接続する調節可能なコネクタ９によって、顎支持部を患者の胸部に対して選択した相対的な高さに配置するように調節される。次に、技術者が、顎支持部を所望の位置に配置して、患者の顎を顎支持部に接触させて配置する。次に、調節可能な連結部１５がロックされ、それによって、患者の顎が固定される。
【符号の説明】
【０００９】    １    固定具    ２    胸部プレート   ７    ロッド    ８    頂面    ９    調節可能なコネクタ  １０    左肩固定具  １１    右肩固定具  １２    調節可能なストラップ  １３    ポスト  １４    パッド  １５    調節可能な連結部、デュアル・ボール・ジョイント
【手続補正３】
【補正対象書類名】図面
【補正対象項目名】全図
【補正方法】変更
【補正の内容】
【図１】
2015516863.tif 000001
【図２】
2015516863.tif 000002
【図３】
2015516863.tif 000003
【図４】
2015516863.tif 000004
【図５】
2015516863.tif 000005
【図６】
2015516863.tif 000006
【図７】
2015516863.tif 000007
【図８】
2015516863.tif 000008
【図９】
2015516863.tif 000009
【図１０】
2015516863.tif 000010
【図１１】
2015516863.tif 000011
【図１２】
2015516863.tif 000012
【図１３】
2015516863.tif 000013
【図１４】
2015516863.tif 000014
【図１５】
2015516863.tif 000015